(57)【特許請求の範囲】
【請求項１】
ブレードラバーに剛性と弾性を付与するための板ばね状のバッキングの端部が挿入され、該端部に形成された長手方向に係合可能なバッキング係合部にキャップ係合部が係合されて固定されるブレードキャップであって、
前記バッキングの側端面と対向する側対向面と、前記バッキングの下面と対向する下対向面との間にスリットが形成されることで、前記下対向面を有する下外壁部が可撓性を有し、前記下外壁部が撓むことで前記下対向面が前記バッキングの上面と対向する上対向面から離間可能とされたことを特徴とするブレードキャップ。
【請求項２】
請求項１に記載のブレードキャップにおいて、
前記バッキング係合部は、前記バッキングの板厚方向に貫通した係合孔であり、
前記キャップ係合部は、前記上対向面から突出した係合爪であることを特徴とするブレードキャップ。
【請求項３】
請求項１又は２に記載のブレードキャップにおいて、
前記側対向面は、その側方の外壁部とは離間した側対向壁部の内面であって、
前記側対向壁部は、その上端で外側に対向する前記外壁部と連結されたことを特徴とするブレードキャップ。
【請求項４】
請求項１乃至３のいずれか１項に記載のブレードキャップにおいて、
前記バッキングが挿入される挿入部の先端側で外部に連通する開口は、挿入方向から見て前記挿入部よりも小さく形成されたことを特徴とするブレードキャップ。
【発明の詳細な説明】
【技術分野】
【０００１】
本発明は、車両用のワイパブレードに設けられるブレードキャップに関するものである。
【背景技術】
【０００２】
従来から車両用のワイパは、ワイパアームとワイパアームに連結されるワイパブレードからなる。そして、ワイパブレードとしては、ブレードラバーに剛性と弾性を付与するための板ばね状のバッキングの端部に装着されるブレードキャップを有したものがある（例えば、特許文献１参照）。このブレードキャップは、外壁部の内部に一対の撓み片が設けられ、組み付け時には撓み片が離間する方向に撓められ、撓み片の先端に形成された爪がバッキングに形成された係合溝に嵌ることで、バッキングに対して固定されることになる。
【先行技術文献】
【特許文献】
【０００３】
【特許文献１】独国特許出願公開第１９６５０１５９号明細書
【発明の概要】
【発明が解決しようとする課題】
【０００４】
しかしながら、上記したブレードキャップのように、外壁部の内部に撓み片が設けられるものでは、その撓み片自体のスペースと撓み片の撓み量を許容するスペースとが内部に必要になるという問題がある。尚、上記ブレードキャップでは、バッキング自体の幅を小さくしたり、爪の突出量を小さくして大型化を抑制しているが、それらの強度不足が懸念される。又、上記構成では、撓み片が独立して突出形成されているため、破損しやすいという問題がある。
【０００５】
本発明は、上記問題点を解決するためになされたものであって、その目的は、内部のスペースを容易に確保することができるとともに、破損し難い構成とすることができるブレードキャップを提供することにある。
【課題を解決するための手段】
【０００６】
上記課題を解決するブレードキャップは、ブレードラバーに剛性と弾性を付与するための板ばね状のバッキングの端部が挿入され、該端部に形成された長手方向に係合可能なバッキング係合部にキャップ係合部が係合されて固定されるブレードキャップであって、前記バッキングの側端面と対向する側対向面と、前記バッキングの下面と対向する下対向面との間にスリットが形成されることで、前記下対向面を有する下外壁部が可撓性を有し、前記下外壁部が撓むことで前記下対向面が前記バッキングの上面と対向する上対向面から離間可能とされる。
【０００７】
同構成によれば、バッキングの側端面と対向する側対向面と、バッキングの下面と対向する下対向面との間にスリットが形成されることで、下対向面を有する下外壁部が可撓性を有し、下外壁部が撓むことで下対向面がバッキングの上面と対向する上対向面から離間可能とされるため、下外壁部を撓ませてバッキングと組み付けることができる。そして、ブレードキャップの外壁部の一部を構成する下外壁部が撓む構成であるため、内部に独立した撓み片が設けられたものに比べて、内部にその撓み片自体のスペースや撓み片の撓み量を許容するためのスペースが不要になる。又、撓む部分（下外壁部）が外壁部の一部を構成するものであり、他の外壁部と連続していることで、その強度を高く確保することができる。よって、内部のスペースを容易に確保することができるとともに、破損し難い構成とすることができる。
【０００８】
上記ブレードキャップにおいて、前記バッキング係合部は、前記バッキングの板厚方向に貫通した係合孔であり、前記キャップ係合部は、前記上対向面から突出した係合爪であることが好ましい。
【０００９】
同構成によれば、バッキング係合部は、バッキングの板厚方向に貫通した係合孔であり、キャップ係合部は、上対向面から突出した係合爪であるため、簡単な構成で係合させて抜け止めを行うことができる。特に、係合爪は、主に撓む下外壁部に設けられていないため、抜け方向の力が掛かっても、係合爪は係合孔から係合が解除され難い。即ち、係合爪が主に撓む下外壁部に設けられていると、抜け方向の力が掛かった際にその分力が下外壁部を撓ませてしまうことが考えられるが、そのような作用を抑えることができる。
【００１０】
上記ブレードキャップにおいて、前記側対向面は、その側方の外壁部とは離間した側対向壁部の内面であって、前記側対向壁部は、その上端で外側に対向する前記外壁部と連結されることが好ましい。
【００１１】
同構成によれば、側対向面は、その側方の外壁部とは離間した側対向壁部の内面であって、側対向壁部は、その上端で外側に対向する外壁部と連結されるので、その連結部分を基点として下外壁部が撓むようにすることができる。よって、例えば、側対向壁部の下端が外壁部と連結されたものに比べて、下外壁部を容易に大きく撓ませることができる。
【００１２】
上記ブレードキャップにおいて、前記バッキングが挿入される挿入部の先端側で外部に連通する開口は、挿入方向から見て前記挿入部よりも小さく形成されることが好ましい。
同構成によれば、バッキングが挿入される挿入部（上対向面、側対向面及び下対向面にて囲まれる部分）の先端側で外部に連通する開口は、挿入方向から見て挿入部よりも小さく形成されるため、例えば、挿入部と同じ大きさとされた場合に比べて、ブレードキャップの剛性を高くすることができる。又、見栄えを良好とすることができる。
【発明の効果】
【００１３】
本発明のブレードキャップでは、内部のスペースを容易に確保することができるとともに、破損し難い構成とすることができる。
【図面の簡単な説明】
【００１４】
【図１】一実施の形態におけるワイパの斜視図。
【図２】（ａ）は、一実施の形態におけるワイパブレードの端部の側面図。（ｂ）は、同じくワイパブレードの端部の平面図。
【図３】一実施の形態のブレードキャップとバッキングが組み付けられた状態を示す説明図。
【図４】一実施の形態のブレードキャップをバッキングの挿入方向から見た説明図。
【図５】図３のＣ−Ｃ線に沿った断面図。
【図６】図２（ｂ）のＡ−Ａ線に沿ったブレードキャップの断面図。
【図７】図２（ｂ）のＢ−Ｂ線に沿ったブレードキャップの断面図。
【発明を実施するための形態】
【００１５】
以下、車両用のワイパの一実施の形態を図１〜図７に従って説明する。
図１に示すように、車両用のワイパ１は、自動車の払拭面としてのフロントガラスに付着した雨滴等を払拭するためのものであって、ワイパアーム２と、該ワイパアーム２に連結されるワイパブレード３とから構成されている。尚、図中、ワイパアーム２は、その先端部のみ図示している。ワイパアーム２は、その基端部がワイパモータ（図示略）の駆動力にて所定角度で往復回動されるピボット軸（図示略）に固定され、該ピボット軸の往復回動に伴って往復揺動運動を行う。尚、このワイパアーム２は、図示しない付勢機構により、その先端連結部４がフロントガラス（払拭面）側に付勢される。そして、そのワイパアーム２の先端連結部４には、ワイパブレード３が連結される。
【００１６】
図１〜図３に示すように、ワイパブレード３は、払拭面（フロントガラス）を払拭するための長尺状のブレードラバー１１と、該ブレードラバー１１に剛性と弾性を付与するための板ばね状のバッキング１２と、該ブレードラバー１１の上部１１ａ及びバッキング１２のそれぞれ長手方向中央部を保持するラバーホルダ１３とを備える。又、ブレードラバー１１の上部１１ａ及びバッキング１２においてラバーホルダ１３から長手方向に突出する両側は一対の軟質のケース１４に覆われ、更に両端部はブレードキャップ１５に覆われている。
【００１７】
又、図１に示すように、ワイパブレード３は、ラバーホルダ１３に対してブレードラバー１１の幅方向に沿った軸中心で回動可能に連結されるクリップ１６を備える。そして、前記クリップ１６には、ワイパアーム２の先端連結部４が嵌着される。
【００１８】
ここで、前記ブレードキャップ１５の構成について詳述する。
図３及び図５に示すように、ブレードキャップ１５は、バッキング１２の端部が挿入されて該バッキング１２の端部に固定される。バッキング１２の端部には、長手方向に係合可能なバッキング係合部として板厚方向に貫通した係合孔１２ａが形成されている。そして、ブレードキャップ１５には、バッキング１２の上面と対向する上対向面１５ａから突出し、組み付けられた状態で、前記係合孔１２ａに嵌って係合する係合爪１５ｂが形成され、この係合によってバッキング１２に対してブレードキャップ１５が固定される。
【００１９】
詳しくは、図３〜図７に示すように、ブレードキャップ１５は、略筒状に延びた外壁部１５ｃを有する。本実施形態の外壁部１５ｃにおける上部は、車両後方側に向かうほど（払拭面側からの）高さが高くなる傾斜部１５ｄと傾斜部１５ｄにおける車両後方側端部から立設されるリップフィン部１５ｅとを有し、それらはケース１４の上部に一体に形成されたフィンとともに車両走行時の走行風を払拭面側（下側）への押圧力に変換する。又、外壁部１５ｃにおける長手方向先端側（ワイパブレード３の端部側であって、図５中、右側）は、徐々に高さが低くなるように形成されている。
【００２０】
又、ブレードキャップ１５は、外壁部１５ｃの内部に前記上対向面１５ａを有する上対向壁部１５ｆと、上対向壁部１５ｆの幅方向両側からそれぞれ下方に延びてその内面にバッキング１２の側端面と対向する側対向面１５ｇを有する側対向壁部１５ｈとを備えている。これら上対向壁部１５ｆと側対向壁部１５ｈは、ブレードキャップ１５の長手方向先端部まで延びて外壁部１５ｃと連結されている。
【００２１】
又、図６及び図７に示すように、側対向壁部１５ｈは、その上端で（長手方向から見て）側方の外壁部１５ｃと連結されている。詳しくは、車両前方側（図６及び図７中、右側）の側対向壁部１５ｈは、その上端で側方の外壁部１５ｃと直接連結されている。又、車両後方側（図６及び図７中、左側）の側対向壁部１５ｈは、その上端で側方の外壁部１５ｃと連結壁部１５ｉを介して連結されている。又、本実施形態の連結壁部１５ｉは、側対向壁部１５ｈから斜め上方にＶ字状に延びて側方の外壁部１５ｃと、具体的にはリップフィン部１５ｅの前後に跨って連結されている。
【００２２】
そして、ブレードキャップ１５において、前記側対向面１５ｇと、バッキング１２の下面と対向する下対向面１５ｊとの間には、スリット１５ｋが形成されることで、下対向面１５ｊを有する下外壁部１５ｌが側対向壁部１５ｈと切り離されて可撓性を有し、該下外壁部１５ｌが撓むことで下対向面１５ｊが前記上対向面１５ａから離間可能とされている。
【００２３】
詳述すると、下対向面１５ｊは、外壁部１５ｃの一部を構成する下外壁部１５ｌの上面として形成されている。下外壁部１５ｌは、幅方向に離間して一対設けられ、それぞれ他の（車両前方側の下端部と車両後方側の下端部の）外壁部１５ｃから連続して幅方向内側に延びて形成されている。そして、下外壁部１５ｌは、長手方向全域で前記側対向壁部１５ｈとは連結されずに設けられ、それらの間にスリット１５ｋが形成されている。これにより、下外壁部１５ｌが可撓性を有し、該下外壁部１５ｌが撓む（図４中、２点鎖線参照）ことで下対向面１５ｊが前記上対向面１５ａから離間可能とされている。尚、本実施形態では、前記上対向面１５ａ、側対向面１５ｇ及び下対向面１５ｊにて囲まれる略四角形の部分がバッキング１２が挿入される挿入部２１とされている。
【００２４】
又、下外壁部１５ｌの互いの対向面には、前記ブレードラバー１１の上部を保持するための保持溝１５ｍがそれぞれ形成されている。
又、図４〜図７に示すように、本実施形態のブレードキャップ１５において、前記挿入部２１の（長手方向）先端側で外部に連通する開口１５ｎは、挿入方向（長手方向）から見て挿入部２１よりも小さく形成されている。詳しくは、この開口１５ｎは、係合爪１５ｂを成形する際の図示しない型を抜くために形成されるものであって、長手方向からみて係合爪１５ｂよりも大きく形成されながらも、その幅が挿入部２１よりも小さく形成されている。
【００２５】
次に、上記実施形態の作用について説明する。
上記のように構成されたブレードキャップ１５では、下外壁部１５ｌに下方への外力が加えられると、下外壁部１５ｌが下方に撓むことになる（図４中、２点鎖線参照）。すると、下対向面１５ｊが上対向面１５ａから離間し、上対向面１５ａから突出した係合爪１５ｂの下方にバッキング１２を挿入可能なスペースができる。そして、前記スペースにバッキング１２の端部が挿入された後に前記外力が加えられなくなると、下外壁部１５ｌが元の位置に戻り、係合爪１５ｂが係合孔１２ａに嵌って、ブレードキャップ１５はバッキング１２に固定される。
【００２６】
次に、上記実施の形態の特徴的な効果を以下に記載する。
（１）バッキング１２の側端面と対向する側対向面１５ｇと、バッキング１２の下面と対向する下対向面１５ｊとの間にスリット１５ｋが形成されることで、下対向面１５ｊを有する下外壁部１５ｌが可撓性を有し、下外壁部１５ｌが撓むことで下対向面１５ｊがバッキング１２の上面と対向する上対向面１５ａから離間可能とされる。よって、下外壁部１５ｌを撓ませることでブレードキャップ１５はバッキング１２に組み付けることができる。そして、ブレードキャップ１５の外壁部１５ｃの一部を構成する下外壁部１５ｌが撓む構成であるため、内部に独立した撓み片が設けられたものに比べて、内部にその撓み片自体のスペースや撓み片の撓み量を許容するためのスペースが不要になる。又、撓む部分（下外壁部１５ｌ）が外壁部１５ｃの一部を構成するものであり、他の外壁部１５ｃと連続していることで、その強度を高く確保することができる。よって、内部のスペースを容易に確保することができるとともに、破損し難い構成とすることができる。
【００２７】
（２）バッキング係合部は、バッキング１２の板厚方向に貫通した係合孔１２ａであり、キャップ係合部は、上対向面１５ａから突出した係合爪１５ｂであるため、簡単な構成で係合させて抜け止めを行うことができる。特に、係合爪１５ｂは、主に撓む下外壁部１５ｌに設けられていないため、抜け方向の力が掛かっても、係合爪１５ｂは係合孔１２ａから係合が解除され難い。即ち、係合爪が主に撓む下外壁部１５ｌに設けられていると、抜け方向の力が掛かった際にその分力が下外壁部１５ｌを撓ませてしまうことが考えられるが、そのような作用を抑えることができる。
【００２８】
（３）側対向面１５ｇは、その側方の外壁部１５ｃとは離間した側対向壁部１５ｈの内面であって、側対向壁部１５ｈは、その上端で外側に対向する外壁部１５ｃと連結されるので、その連結部分を基点として下外壁部１５ｌが（図４に２点鎖線で示すように外側に広がりながら下方に）撓むようにすることができる。よって、例えば、側対向壁部の下端で外壁部と連結されたものに比べて、下外壁部１５ｌを容易に大きく撓ませることができる。
【００２９】
（４）バッキング１２が挿入される挿入部２１の先端側で外部に連通する開口１５ｎは、挿入方向から見て挿入部２１よりも小さく形成されるため、例えば、挿入部２１と同じ大きさとされた場合に比べて、ブレードキャップ１５の剛性を高くすることができる。又、見栄えを良好とすることができる。
【００３０】
（５）下外壁部１５ｌは、幅方向に離間して一対設けられ、互いの対向面にブレードラバー１１の上部１１ａを保持するための保持溝１５ｍを有するものであるため、バッキング１２の下方にブレードラバー１１の長手方向端部の上部１１ａを良好に保持することができる。
【００３１】
上記実施形態は、以下のように変更してもよい。
・上記実施形態では、バッキング係合部は、バッキング１２の板厚方向に貫通した係合孔１２ａであり、キャップ係合部は、上対向面１５ａから突出した係合爪１５ｂであるとしたが、それらは長手方向に係合可能であれば、他の構成に変更してもよい。例えば、係合孔をバッキング１２の両側に切り欠いて形成し、係合爪を各下外壁部１５ｌに設けてもよい。
【００３２】
・上記実施形態では、側対向面１５ｇは、その側方の外壁部１５ｃとは離間した側対向壁部１５ｈの内面であって、側対向壁部１５ｈは、その上端で外側に対向する外壁部１５ｃと連結されるとしたが、これに限定されず、他の構成に変更してもよい。例えば、側対向壁部１５ｈは、その下端で外壁部１５ｃと連結されたものや、上端から下端まで外壁部１５ｃと連結、即ち外壁部１５ｃと離間せずに一体的に形成されたものとしてもよい。
【００３３】
・上記実施形態では、バッキング１２が挿入される挿入部２１の先端側で外部に連通する開口１５ｎは、挿入方向から見て挿入部２１よりも小さく形成されるとしたが、これに限定されず、例えば、挿入部２１と同じ大きさ（形状）としてもよい。又、開口１５ｎが形成されていない（先端側が塞がった）ブレードキャップとしてもよい。
【００３４】
・上記実施形態では、下外壁部１５ｌは、幅方向に離間して一対設けられ、互いの対向面にブレードラバー１１の上部１１ａを保持するための保持溝１５ｍを有するものであるとしたが、これに限定されず、例えば、保持溝１５ｍを有していないブレードキャップとしてもよい。
【００３５】
・上記実施形態では、ブレードラバー１１の上部１１ａ及びバッキング１２を覆う軟質のケース１４の抜け止めとしても機能するブレードキャップ１５に具体化したが、これに限定されず、複数のレバーがトーナメント状に連結されたタイプのワイパブレードにおいてバッキングの端部に固定されるブレードキャップに具体化してもよい。
【００３６】
上記実施形態から把握できる技術的思想を以下に記載する。
（イ）請求項１乃至４のいずれか１項に記載のブレードキャップにおいて、前記下外壁部は、幅方向に離間して一対設けられ、互いの対向面に前記ブレードラバーの長手方向端部の上部を収容保持するための保持溝を有するものであることを特徴とするブレードキャップ。
【００３７】
同構成によれば、下外壁部は、幅方向に離間して一対設けられ、互いの対向面に前記ブレードラバーの長手方向端部の上部を収容保持するための保持溝を有するものであるため、バッキングの下方にブレードラバーの長手方向端部の上部を良好に収容保持することができる。
【符号の説明】
【００３８】
１１…ブレードラバー、１２…バッキング、１２ａ…係合孔（バッキング係合部）、１５ａ…上対向面、１５ｂ…係合爪（キャップ係合部）、１５ｃ…外壁部、１５ｇ…側対向面、１５ｈ…側対向壁部、１５ｊ…下対向面、１５ｋ…スリット、１５ｌ…下外壁部、１５ｎ…開口、２１…挿入部。
【図１】
0006046013.tif 000002
【図２】
0006046013.tif 000003
【図３】
0006046013.tif 000004
【図４】
0006046013.tif 000005
【図５】
0006046013.tif 000006
【図６】
0006046013.tif 000007
【図７】
0006046013.tif 000008